(57)【要約】【課題】生体に好影響を与えることが注目されているマイナスイオンを発生させて効果的に掃除機本体外に放出する電気掃除機を提供することにある。【解決手段】電動送風機１９を収納する電動送風機室２０を有する掃除機本体１に、マイナスイオン発生装置を収納するイオン発生装置室を形成し、イオン発生装置室にイオン放出口を形成すると共に、マイナスイオン発生装置により発生したマイナスイオンを放出するイオン放出口を設ける。【選択図】　図１
2004024414.tif 000002
【特許請求の範囲】
【請求項１】
電動送風機を収納する電動送風機室を有する掃除機本体に、マイナスイオン発生装置を収納するイオン発生装置室を形成し、該イオン発生装置室にイオン放出口を形成すると共に、前記マイナスイオン発生装置により発生したマイナスイオンを放出するイオン放出口を設けたことを特徴とする電気掃除機。
【請求項２】
電動送風機を収納する電動送風機室を有する掃除機本体に、マイナスイオン発生装置を収納するイオン発生装置室を形成し、該イオン発生装置室にイオン放出口を形成すると共に、前記マイナスイオン発生装置により発生したマイナスイオンをイオン放出口から放出させる気流を発生させる気流発生源を設けたことを特徴とする電気掃除機。
【請求項３】
電動送風機を収納する電動送風機室を有する掃除機本体と、該掃除機本体に形成される排気口とを備え、前記電動送風機室の下流に、マイナスイオン発生装置を収納するイオン発生装置室を形成し、該イオン発生装置室にイオン放出口を形成したことを特徴とする電気掃除機。
【請求項４】
電動送風機を収納する電動送風機室を有する掃除機本体と、該掃除機本体に形成される排気口と、該排気口から排気される排気を浄化するフィルターとを備え、前記フィルターの下流に、マイナスイオン発生装置を収納するイオン発生装置室を形成し、該イオン発生装置室にイオン放出口を形成したことを特徴とする電気掃除機。
【請求項５】
電動送風機を収納する電動送風機室を有する掃除機本体と、該掃除機本体に形成される排気口とを備え、前記掃除機本体にマイナスイオン発生装置を収納するイオン発生装置室を形成すると共に、該イオン発生装置室にイオン放出口を形成し、前記イオン発生装置室に、イオン発生装置室内の空気をイオン放出口から排出する気流を発生する送風機を設けたことを特徴とする電気掃除機。
【請求項６】
前記イオン放出口を、掃除機本体の後方側に向けて開口したことを特徴とする請求項１から５のいずれかに記載の電気掃除機。
【請求項７】
前記イオン放出口上方に、イオン放出口を覆う覆い部を形成したことを特徴とする請求項６記載の電気掃除機。
【請求項８】
前記イオン発生装置室内面に、帯電防止処理を施したことを特徴とする請求項１から５のいずれかに記載の電気掃除機。
【請求項９】
前記マイナスイオン発生装置は、少なくとも一対の電極と、該電極間に高電圧を印加する高電圧発生器を備えたことを特徴とする請求項１から５のいずれかに記載の電気掃除機。
【請求項１０】
前記マイナスイオン発生装置は、マイナスイオンを発生させる物質であることを特徴とする請求項１から５のいずれかに記載の電気掃除機。
【請求項１１】
前記マイナスイオンを発生させる物質が、モナザイト、トリウム、トルマリン、希土類元素のいずれかであることを特徴とする請求項１０記載の電気掃除機。
【発明の詳細な説明】
【０００１】
【産業上の利用分野】
本発明は、電気掃除機に関し、特に、マイナスイオンを供給し得る電気掃除機に関する。
【０００２】
【従来の技術】
従来、電気掃除機は、衣類や寝具等の繊維、人間やペットの毛、カビやダニ、花粉などの塵埃等を効率よく集塵することを課題として様々な工夫がなされてきた。
【０００３】
しかしながら、電気掃除機は、掃除目的以外には、利用されていないのが実状である。
【０００４】
【発明が解決しようとする課題】
近年、マイナスイオンが生理作用を活性化し、生体に対して好影響を与えることが注目されている。
【０００５】
そこで、電気掃除機の排気にマイナスイオンを付加することが考えられる。
【０００６】
本願は、上記問題点に鑑みなされたもので、生体に好影響を与えることが注目されているマイナスイオンを発生させて効果的に掃除機本体外に放出する電気掃除機を提供することを課題とする。
【０００７】
【課題を解決するための手段】
本発明の第１の手段は、電動送風機を収納する電動送風機室を有する掃除機本体に、マイナスイオン発生装置を収納するイオン発生装置室を形成し、該イオン発生装置室にイオン放出口を形成すると共に、前記マイナスイオン発生装置により発生したマイナスイオンを放出するイオン放出口を設けたことを特徴とする。
【０００８】
本発明の第２の手段は、電動送風機を収納する電動送風機室を有する掃除機本体に、マイナスイオン発生装置を収納するイオン発生装置室を形成し、該イオン発生装置室にイオン放出口を形成すると共に、前記マイナスイオン発生装置により発生したマイナスイオンをイオン放出口から放出させる気流を発生させる気流発生源を設けたことを特徴とする。
【０００９】
本発明の第３の手段は、電動送風機を収納する電動送風機室を有する掃除機本体と、該掃除機本体に形成される排気口とを備え、前記電動送風機室の下流に、マイナスイオン発生装置を収納するイオン発生装置室を形成し、該イオン発生装置室にイオン放出口を形成したことを特徴とする。
【００１０】
本発明の第４の手段は、電動送風機を収納する電動送風機室を有する掃除機本体と、該掃除機本体に形成される排気口と、該排気口から排気される排気を浄化するフィルターとを備え、前記フィルターの下流に、マイナスイオン発生装置を収納するイオン発生装置室を形成し、該イオン発生装置室にイオン放出口を形成したことを特徴とする。
【００１１】
本発明の第５の手段は、電動送風機を収納する電動送風機室を有する掃除機本体と、該掃除機本体に形成される排気口とを備え、前記掃除機本体にマイナスイオン発生装置を収納するイオン発生装置室を形成すると共に、該イオン発生装置室にイオン放出口を形成し、前記イオン発生装置室に、イオン発生装置室内の空気をイオン放出口から排出する気流を発生する送風機を設けたことを特徴とする。
【００１２】
前記イオン放出口を、掃除機本体の後方側に向けて開口することが好ましい。
【００１３】
前記イオン放出口上方に、イオン放出口を覆う覆い部を形成することが好ましい。
【００１４】
前記イオン発生装置室内面に、帯電防止処理を施すことが好ましい。
【００１５】
前記マイナスイオン発生装置は、少なくとも一対の電極と、該電極間に高電圧を印加する高電圧発生器から構成することが好ましい。
【００１６】
前記マイナスイオン発生装置は、マイナスイオンを発生させる物質であることが好ましい。
【００１７】
前記マイナスイオンを発生させる物質が、モナザイト、トリウム、トルマリン、希土類元素のいずれかであることが好ましい。
【００１８】
【発明の実施の形態】
本発明の実施の形態を図１から図４に基づいて以下に詳述する。
【００１９】
１は下ケース２、上ケース３及び上ケース３の後方上部を覆うカバー体４からなる掃除機本体で、前方に上方を開口した集塵室５を形成すると共に、後方には電動送風機室６と電動送風機室６のさらに後方にコードリール室７を形成している。前記集塵室５には、図示しない集塵袋が着脱自在に装着されるようになっている。８は前記集塵室５の上面開口を開閉自在に閉塞する集塵蓋で、前記掃除機本体１に上下方向に揺動自在に枢支されている。
【００２０】
９は前記掃除機本体１前部に形成されるホース接続口で、図示しないホースの一端が着脱自在に接続され、該ホース他端に延長パイプの一端が着脱自在に接続され、該延長パイプの他端に床用吸込具が着脱自在に接続されるようになっている。
【００２１】
１０は前記電動送風機室６内に収納される電動送風機で、集塵室５に連通している。１１は前記電動送風機１０を囲繞する合成樹脂製の電動送風機ケースで、前記掃除機本体１の底面側に吐出口１２を形成しており、該吐出口１２に排気フィルター１３が装着されている。
【００２２】
１４は前記掃除機本体１後方両側に形成された排気口で、該排気口１４周縁に後車輪１５が回動自在に支持されている。１６は前記掃除機本体１の排気口１４を覆うように掃除機本体１外側から装着される排気枠となるホイールカバーで、該ホイールカバー１６を装着することにより後車輪１５の抜け止めを行うようになっている。１７は前記排気口１４に配設される消臭フィルターで、活性炭を含有しており、ホイールカバー１６と掃除機本体１との間に挟持されている。
【００２３】
１８は前記電動送風機ケース１１の吐出口１２と排気口１４との間に、前記掃除機本体１の下ケース２から上方に向かって立設された案内体となる案内壁で、前記吐出口１２からの排気を電動送風機室６上方に配設される後述のイオン発生装置室２０に向かって案内するようになっている。１９は前記コードリール室７内に配設されるコードリールである。
【００２４】
２０は前記電動送風機室６上方の上ケース３とカバー体４との間に形成されるイオン発生装置室で、前記上ケース３が構成するイオン発生装置室２０の底面部分が多数の通気孔２１を有する格子状に形成されている。前記イオン発生装置室２０内面には、帯電防止処理が施されている。本実施の形態では、イオン発生室２０内面に、アルミニュウムを蒸着、あるいはアルミニュウム箔を貼着している。帯電防止処理としては、帯電防止剤を塗布してもよく、また、上ケース３及びカバー体４を形成する合成樹脂に帯電防止剤を混入してもよく、その他の帯電防止処理を施してもよい。
【００２５】
２２は前記イオン発生装置室２０に収納されるイオン発生装置で、針電極と対向電極とからなる一対の電極と、前記針電極と対向電極間に高電圧を印加する高電圧発生器から構成されている。
【００２６】
前記カバー体４のイオン発生装置室２０を覆う部分は、掃除機本体１上方に向かって膨出形成されており、該膨出部分には、掃除機本体１の背面側に向かってイオン排出口２３が形成されている。２４は前記膨出部分上部に形成された覆い部で、前記イオン放出口２３上方を覆うようになっている。
【００２７】
而して、吸込具本体から延長パイプ及びホースを介して空気と共に掃除機本体１に吸引された塵埃等は、集塵室５内に装着される集塵袋により空気と分離され、塵埃等は集塵袋５に蓄積され、空気は電動送風機１０に吸引され、電動送風機ケース１１の吐出口１２に装着された排気フィルター１３により濾過されて電動送風機室６内に排気される。
【００２８】
そして、吐出口１２からの排気は、案内壁１８により電動送風機室６内を上方に向かって案内され、一部の排気は通気孔２１を通過してイオン発生装置室２０に入り、マイナスイオン発生装置２２から発生するマイナスイオンと共にイオン放出口２３から排気され、部屋にマイナスイオンを拡散する。
【００２９】
また、排気の大部分は、案内壁１８の外側を通過し、脱臭フィルター１７により脱臭されて排気口１４から掃除機本体１の外部に排気される。尚、排気口１４からの排気には、イオン発生装置室２０に入ってもイオン放出口２３から排気されず、イオン発生装置室２０から電動送風機室６に流れ込んだマイナスイオンも含有される。
【００３０】
マイナスイオン発生装置２２は、排気フィルター１３の下流側に配置しているので、表面にごみ等が付着することはなく、従って、ごみ等の付着によりマイナスイオンの放出が妨げられて、マイナスイオンの発生が妨げられることはなく、当初の性能を長期にわたり維持することができる。
【００３１】
また、イオン放出口２３は、上部を覆い部２４により覆われているので、イオン放出口２３からイオン発生装置室２０内にごみ等が入るのを防止することができ、イオン発生装置２３の電極にごみ等が付着することによるマイナスイオンの発生が妨げられるのを防止することができる。
【００３２】
掃除機本体１は、不使用時には、掃除機本体１背面の図示しない脚部を床面に接地することにより起立状態にして収納するが、イオン放出口２３は、掃除機本体１背面側に開口しているので、収納状態では、イオン放出口２３が下方向を向き、従って、イオン放出口２３からごみ等が侵入するのをより確実に防止することができる。
【００３３】
イオン発生装置室２０内は、帯電防止処理がなされているので、イオン発生装置室２０内面の合成樹脂が帯電することにより、マイナスイオン発生装置２２から発生するマイナスイオンが減少することがなく、長時間にわたり安定してマイナスイオンを放出することができる。
【００３４】
イオン放出口２３からマイナスイオンを放出させる気流を発生させる気流発生源として、電動送風機１０を兼用しているので、別に送風機を設ける必要がなく、構成を簡素化することができる。
【００３５】
近年では、排気口１４からの排気の流速を低下させて排気によって床面等の塵埃等の舞上がりを防止するようになっており、排気口１４からの排気にマイナスイオンを拡散させる構成とした場合には、十分に部屋中にマイナスイオンを拡散できない虞があるが、マイナスイオンを放出させるためのイオン放出口２３を排気口１４とは別に形成したので、イオン放出口２３からの気流の流速を、任意の風速に設定することができ、マイナスイオンを十分に拡散させることができる。しかも、イオン放出口２３を掃除機本体１上部に形成したので、より遠くまで拡散させることができる。
【００３６】
電動送風機１０の騒音は、電動送風機ケース１１及び案内壁１８により遮音され、排気口１４から外部に漏れる騒音を低減することができる。
【００３７】
上記第１の実施の形態では、イオン発生装置室２０底面に通気孔２１を形成し、通気孔２１を介してイオン発生装置室２０内に入る電動送風機１０の排気によりイオン放出口２３からマイナスイオンを放出する構成としたが、図５に示す第２の実施の形態のごとく、イオン発生装置室２０底面の通気孔２１をなくし、カバー体４に吸気口２５を形成すると共に、イオン発生装置室２０内に送風機２６を配設し、該送風機２６により吸気口２５から吸引した外気にマイナスイオン発生装置２２にて発生したマイナスイオンを含有させ、イオン放出口２３から放出させる構成としてもよい。
【００３８】
尚、上記第２の実施の形態において、マイナスイオン発生装置２２と送風機２６は、電動送風機１０の停動とは無関係に動作できるように構成することにより、電気掃除機の停止状態でもマイナスイオンを放出できるようにすることができる。
【００３９】
また、上記実施の形態では、マイナスイオン発生装置２２を、一対の電極と高電圧発生器とで構成したが、マイナスイオンを発生させる物質を用いてもよい。マイナスイオンを発生させる物質としては、モナザイト、あるいはトリウムを含有する鉱物や材料、また、マイナスイオンを常時放出すると言われるトルマリンや希土類元素を含有する鉱物や材料を用いてもよい。
【００４０】
【発明の効果】
本発明の請求項１の構成によれば、マイナスイオン発生装置から発生したマイナスイオンを効率よく拡散させることができる等の効果を奏する。
【００４１】
本発明の請求項２の構成によれば、マイナスイオン発生装置から発生したマイナスイオンをより効率よく拡散させることができる等の効果を奏する。
【００４２】
本発明の請求項３の構成によれば、イオン放出口から電動送風機の排気を利用して効率よくマイナスイオンを拡散させることができる等の効果を奏する。
【００４３】
本発明の請求項４の構成によれば、イオン放出口から電動送風機の排気を利用して効率よくマイナスイオンを拡散させることができると共に、イオン発生装置室はフィルターの下流に形成されているので、イオン発生装置室に入る空気は清浄な空気であり、マイナスイオン発生装置が汚れてマイナスイオンの発生が妨げられることがない等の効果を奏する。
【００４４】
本発明の請求項５の構成によれば、マイナスイオンを効率よく拡散することができる等の効果を奏する。
【００４５】
本発明の請求項６の構成によれば、イオン放出口を掃除機本体の後方側に向けて開口したので、収納状態でイオン放出口からイオン発生装置室内にごみ等が入り込むことがなく、マイナスイオン発生装置にごみ等が付着してマイナスイオンの発生を妨げることがない等の効果を奏する。
【００４６】
本発明の請求項７の構成によれば、請求項５の構成の効果に加え、より確実にイオン放出口からイオン発生装置室内にごみ等が入り込むのを防止することができる等の効果を奏する。
【００４７】
本発明の請求項８の構成によれば、イオン発生装置室内面に帯電防止処理を施したので、イオン発生装置室内面が帯電してマイナスイオンの発生を妨げることがなく、マイナスイオンを効率よく放出することができる等の効果を奏する。
【００４８】
本発明の請求項９の構成によれば、マイナスイオン発生装置を、少なくとも一対の電極と高電圧発生器とで構成したので、効率よく多量のマイナスイオンを発生させて拡散させることができる等の効果を奏する。
【００４９】
本発明の請求項１０の構成によれば、電気掃除機の不使用時においても、マイナスイオンを常時発生させてイオン放出口から放出させることができる等の効果を奏する。
【００５０】
本発明の請求項１１の構成によれば、電気掃除機の不使用時においても、常時多量のマイナスイオンを発生させてイオン放出口から放出させることができる等の効果を奏する。
【図面の簡単な説明】
【図１】本発明の第１の実施の形態を示す掃除機本体の断面図である。
【図２】同図１とは異なる方向の掃除機本体の断面図である。
【図３】同上ケースの上面図である。
【図４】同掃除機本体の上面図である。
【図５】本発明の第２の実施の形態を示す掃除機本体の断面図である。
【符号の説明】
１　　　掃除機本体
５　　　集塵室
６　　　電動送風機室
８　　　集塵蓋
１０　　　電動送風機
１１　　　電動送風機ケース
２０　　　イオン発生装置室
２２　　　マイナスイオン発生装置
２３　　　イオン放出口
【図１】
2004024414.tif 000003
【図２】
2004024414.tif 000004
【図３】
2004024414.tif 000005
【図４】
2004024414.tif 000006
【図５】
2004024414.tif 000007